(57)【要約】【課題】  障子を開放角度規制状態、全開放状態に切換えでき、その切換操作が容易であると共に、開放角度規制状態の障子を室外から全開放できないようにした開き窓とする。【解決手段】  窓枠１０の下枠１２にアーム部材３０を室内外側方向に回動自在に取付け、障子２０の下框２２に係合ピン４１と、この係合ピン４１を第１位置、第２位置に移動する操作具４２を取付ける。前記アーム部材３０は係合ピン４１が挿入、抜き出し自在な長穴３１を有し、障子２０が閉じ状態の時に前記係合ピン４１が第１位置であると長穴３１に挿入して障子開放角度を規制すると共に、第２位置であると長穴３１から抜け出して障子全開放するようにした開き窓である。【選択図】  図１
2005076334.tif 000002
【特許請求の範囲】
【請求項１】
窓枠に障子を開閉自在に取付け、
前記窓枠と障子のどちらか一方側にアーム部材を取付け、かつ他方側に切換部材を取付け、
前記アーム部材はガイド部を有し、室内外側方向に回動自在に取付けられ、
前記切換部材は、前記ガイド部に沿って摺動自在で、かつ障子閉じ状態においてガイド部に挿入、抜け出しする摺動子と、この摺動子をガイド部に挿入した第１位置とガイド部から抜け出した第２位置とに移動する操作具を備え、
前記摺動子を第１位置として障子を開放した時には障子が開放角度規制状態となり、摺動子を第２位置として障子を開放した時には障子が全開放状態となることを特徴とする開き窓。
【請求項２】
アーム部材が窓枠に取付けられ、切換部材が障子に取付けられ、
前記切換部材の操作具は障子の室内側面に沿って移動すると共に、その障子の室内側面に操作具の位置によって障子開放状態を表示する表示部を設けた請求項１記載の開き窓。
【請求項３】
アーム部材は、窓枠と障子のどちらか一方側に取付けた取付基部に室内外側方向に回動自在に取付けられ、この取付基部にロック部を設け、
摺動子は、障子が閉じ状態において前記ロック部と干渉して室外側に移動できないロック位置に移動自在である請求項１又は２記載の開き窓。
【発明の詳細な説明】
【技術分野】
【０００１】
本発明は、すべり出し窓のように窓枠に障子を開閉自在に取付けた開き窓、詳しくは障子の開放角度を規制したり、障子を全開放できる開き窓に関する。
【背景技術】
【０００２】
特許文献１に、障子の開放角度を規制したり、障子を全開放できる開き窓が開示されている。
具体的には、障子の縦框にアームの一端部を回動自在に取付け、そのアームの他端部にピンを設ける。窓枠の縦枠にベースを取付け、このベースは前記ピンが摺動する長穴を有し、その長穴の一端部は切欠部を有し、他端部は下方屈曲部とピンの頭部が抜け出すピン抜き穴を有する。
そして、障子が閉じ状態の時にはピンが切欠部から長穴内に入り込み、障子を開放するとアームが回動してピンが長穴に沿って摺動し、ピンを下方屈曲部に嵌め込むことで障子の開放角度を規制した状態となる。
この状態からアームを移動してピンをピン抜き穴から抜き出すことで障子を全開放状態とすることができる。
【０００３】
【特許文献１】特開平１０−１６９２８４号公報
【発明の開示】
【発明が解決しようとする課題】
【０００４】
前述した従来の開き窓は、障子を開放角度規制状態まで開放した後に、ピンを抜き出すことで全開放状態まで開放するので、障子が開放角度規制状態の時に、室外からピンを抜き出して全開放状態まで障子を開放できるので、防犯上好ましくない。
また、障子を全開放状態とするには、アームを移動してピンをピン抜き穴から抜き出す操作が必要であるから、障子を全開放状態とする操作が面倒である。
【０００５】
本発明は、前述の課題に鑑みなされたもので、その目的は、障子を全開放状態、開放角度規制状態にできると共に、障子が開放角度規制状態の時に室外から障子を全開放状態まで開放できずに防犯上好ましく、さらには、簡単な操作で障子を全開放状態にできる開き窓を提供することである。
【課題を解決するための手段】
【０００６】
第１の発明は、窓枠に障子を開閉自在に取付け、
前記窓枠と障子のどちらか一方側にアーム部材を取付け、かつ他方側に切換部材を取付け、
前記アーム部材はガイド部を有し、室内外側方向に回動自在に取付けられ、
前記切換部材は、前記ガイド部に沿って摺動自在で、かつ障子閉じ状態においてガイド部に挿入、抜け出しする摺動子と、この摺動子をガイド部に挿入した第１位置とガイド部から抜け出した第２位置とに移動する操作具を備え、
前記摺動子を第１位置として障子を開放した時には障子が開放角度規制状態となり、摺動子を第２位置として障子を開放した時には障子が全開放状態となることを特徴とする開き窓である。
【０００７】
第２の発明は、第１の発明において、アーム部材が窓枠に取付けられ、切換部材が障子に取付けられ、
前記切換部材の操作具は障子の室内側面に沿って移動すると共に、その障子の室内側面に操作具の位置によって障子開放状態を表示する表示部を設けた開き窓である。
【０００８】
第３の発明は、第１又は第２の発明において、アーム部材は、窓枠と障子のどちらか一方側に取付けた取付基部に室内外側方向に回動自在に取付けられ、この取付基部にロック部を設け、
摺動子は、障子が閉じ状態において前記ロック部と干渉して室外側に移動できないロック位置に移動自在である開き窓である。
【発明の効果】
【０００９】
請求項１に係る発明によれば、摺動子を第１位置として障子を開放すると、摺動子がアーム部材のガイド部に摺動自在に挿入された状態でアーム部材が室外側に回動するので、障子の開放角度が規制される。
また、摺動子を第２位置として障子を開放することで全開放できる。
よって、障子を開放角度規制状態としたり、全開放状態にできる。
【００１０】
また、障子が閉じ状態において摺動子を第１位置、第２位置に移動した後に障子を開放することで、障子を開放角度規制状態としたり、全開放状態とするので、障子が開放角度規制状態の時に摺動子をアーム部材のガイド部から抜け出すことができない。よって、室外から開放角度規制状態の障子を全開放状態にすることができないので、防犯上好ましい。
【００１１】
さらに、操作具で摺動子を第１位置と第２位置に移動することで、障子の開放時の状態を開放角度規制状態、全開放状態に切換えでき、その切換操作が容易である。
【００１２】
請求項２に係る発明によれば、操作具と表示部とによって障子の開放状態、つまり全開放状態か開放角度規制状態かを室内から確認できる。
また、摺動子を第２位置として障子を開放している時に操作具の誤操作等によって摺動子が第２位置から移動した場合、その摺動子の移動に気付かずにそのまま障子を閉じようとすると摺動子がアーム部材の側面等に当たって破損してしまう恐れがあるが、請求項２に係る発明によれば、障子が開放されている時も操作具が表示部上に位置し、操作具の切換状態を常に確認することができるので、誤操作等による摺動子の移動を発見し易い。
【００１３】
請求項３に係る発明によれば、障子を閉じ状態として、摺動子をロック位置とすることで、その摺動子がロック部に干渉して室外側に移動できないので、障子を施錠できる。
【発明を実施するための最良の形態】
【００１４】
図１に示すように、窓枠１０に障子２０が開閉自在に取付けられて開き窓を形成している。
前記窓枠１０は上枠１１と下枠１２と左右の縦枠１３を方形状に連結したものである。
前記障子２０は上框２１と下框２２と左右の縦框２３を方形状に連結し、その内部にパネル、例えばガラス２４を装着したものである。
この実施の形態では、左右の縦枠１３と左右の縦框２３とに亘ってすべり出しリンク機構１を取付けて横すべり出し窓としてある。また、下框２２にハンドル２が取付けてある。
【００１５】
図１と図２に示すように、窓枠１０、例えば下枠１２にアーム部材３０が取付けてあり、障子２０、例えば下框２２に切換部材４０が取付けてある。
このアーム部材３０と切換部材４０で障子２０の開放角度を規制したり、全開放できるようにする障子開放角度制御装置を構成している。
【００１６】
前記アーム部材３０は下枠１２に室内外側方向に回動自在に取付けてあると共に、ガイド部、例えば長穴３１を有する。
前記切換部材４０は、前記ガイド部に沿って摺動自在な摺動子、例えば前記長穴３１に沿って摺動自在な係合ピン４１と、この係合ピン４１（摺動子）を障子閉じ状態において前記長穴３１（ガイド部）に嵌まり合う第１位置（図１の点線）と、長穴３１から抜け出す第２位置（図１の仮想線）に亘って移動する操作具４２を備え、この操作具４２は障子閉じ状態で室内から操作可能である。
前記ガイド部は、あり溝や一対の鉤形片などでも良く、摺動子はブロック形状、コ字形状などでも良い。
【００１７】
そして、操作具４２で係合ピン４１を第１位置として障子２０を開放すると、係合ピン４１がアーム部材３０の長穴３１に沿って摺動してアーム部材３０を図２に示すように室外側に向けて回動し、その係合ピン４１が長穴３１の端部に当接して係合ピン４１がストロークエンドになることで障子２０の開放角度を規制し、障子２０は開放角度規制状態となる。つまり、係合ピン４１のストロークで開放角度を規制する。
【００１８】
また、操作具４２で係合ピン４１を第２位置として障子２０を開放すると、係合ピン４１はアーム部材３０と離れて室外側に移動し、全開できる。つまり、障子２０は全開放状態まで開放できる。
【００１９】
次に、各部材の具体形状の一例を説明する。
前記アーム部材３０は、図３と図５に示すように、その長手方向一端部が取付基部３２に支軸３３で回動自在に支承され、その取付基部３２に取付けたストッパピン３４がアーム部材３０の支軸３３を中心とする円弧溝３５に挿通し、この円弧溝３５とストッパピン３４でアーム部材３０の室外側に向かう回動角度（つまり、障子２０の開放角度）を規制している。
前記取付基部３２にはアーム部材３０の室内側への回動を規制するストッパが設けてある。例えば、鉤形状のストッパ片３６が一体的に設けてある。
前記アーム部材３０は長手方向中間部がほぼコ字形状に折り曲げられて凹陥部３７を有し、この凹陥部３７よりも長手方向他端寄りに長穴３１が形成してある。この長穴３１の一端寄り部３１ａは凹陥部３７の他側縦面３７ａまで連続していると共に、順次幅広くなるように平面ハの字形状である。
【００２０】
前記取付基部３２が下枠１２の上面１２ａに固着具、例えばビス３８で固着して取付けられ、アーム部材３０はストッパ片３６に当接することで下枠１２とほぼ平行となる。
なお、アーム部材３０は支軸３３に設けたコイルスプリング３９で上方に押されてほぼ水平姿勢となる。これによって、アーム部材３０が回動する際に凹陥部３７の底部が下枠１２の上面１２ａに接触しないようになる。
【００２１】
前記係合ピン４１は図４に示すように、フランジ４１ａを有している。
このフランジ４１ａは前述の長穴３１の幅よりも大きく、かつ平面ハの字形状の一端寄り部３１ａの幅よりも小さく、係合ピン４１は一端寄り部３１ａから長穴３１内に挿入したり、抜け出しする。
前記操作具４２はＬ字状のプレート４３と、このプレート４３の一方の片４３ａに固着した補強板４４と、そのプレート４３の他方の片４３ｂに取付けた操作つまみ４５を備え、その一方の片４３ａと補強板４４に係合ピン４１が取付けてある。前記操作つまみ４５はビス４５ａで取付けてあるが、これに限ることはない。
【００２２】
前記切換部材４０は取付け板４６と押え板４７を備えている。
その取付け板４６は、長手方向の中間片４６ａが長手方向の両側片４６ｂよりも下方に位置するほぼコ字形状で、その中間片４６ａに係合ピン４１が移動自在に挿通する開口部４６ｃが形成され、両側片４６ｂに取付用孔４６ｄが形成してある。
前記押え板４７は、取付け板４６の上面に嵌合して取付けられて長手方向の中間片４６ａとの間に隙間を形成し、この押え板４７の長手方向の中間部に係合ピン４１が移動自在に挿通する開口部４７ａと、この係合ピン４１を両側位置で保持する弾性部４７ｂを有する。
前記押え板４７の長手方向両側寄りに取付用孔４７ｃが形成してある。
【００２３】
前記プレート４３の一方の片４３ａと補強板４４が、前記取付け板４６と押え板４７との間の隙間に沿って摺動自在に設けられ、係合ピン４１は開口部４７ａ、４６ｃから下方に突出している。
そして、取付け板４６と押え板４７が下框２２の下面２２ａに固着具で固着され、係合ピン４１が下向きとなると共に、操作つまみ４５が室内側に向かう。そして操作具４２が下框２２の長手方向に移動自在に支承されて、前記係合ピン４１が第１位置と第２位置に移動する。
つまり、前述の取付け板４６と押え板４７で係合ピン４１と操作具４２を第１・第２位置に移動自在に支承すると共に、係合ピン４１、操作具４２を下框２２に取付ける取付け部材を形成している。
【００２４】
このようであるから、操作つまみ４５を図１に実線で示す右方位置とすると係合ピン４１が図５に示すように第１位置となる。
この状態で障子２０を開放するとアーム部材３０が室外側に向けて回動し、係合ピン４１が図６に示すように長穴３１の端部に当接して障子３０が開放角度規制状態となる。
【００２５】
図１に仮想線で示すように、操作つまみ４５を左方位置に移動すると係合ピン４１が長穴３１の一端部３１ａから抜け出して図７に示すように凹陥部３７に位置し、前述の第２位置となる。
この状態で障子２０を開放すると係合ピン４１が室外側に移動してアーム部材３０が回動しないから、障子２０を全開放状態まで開放できる。
【００２６】
このように、障子２０を全開放状態まで開放する時に、アーム部材３０が振動などによって室外側に回動する恐れがある場合には、そのアーム部材３０が振動等によって室外側に回動しないように保持し、かつ強い回動力が作用すると保持を解放してアーム部材３０の室外側への回動を許容する手段を設けることが好ましい。
例えば、図３に示すように、前記支軸３３に突部３３ａを設け、前記アーム部材３０の長手方向一端部に穴３０ａを形成し、図５に示すようにアーム部材３０が下枠１２とほぼ平行（つまり、障子２０が閉じ状態）の時にコイルスプリング３９によって穴３０ａが突部３３ａに嵌まり合って、前記アーム部材３０が振動などで室外側に回動しないように保持する。
そして、係合ピン４１を第１位置として障子２０を開放した時には、アーム部材３０に強い回動力が作用するから、アーム部材３０がコイルスプリング３９に抗して下方に動き、その穴３０ａが突部３３ａから離脱して保持を解放し、図６に示すようにアーム部材３０が室外側に回動する。
【００２７】
図１と図２に示すように、操作つまみ４５は下框２２の室内側面２２ｂに沿って移動すると共に、この操作つまみ４５は室内から目視できる。
前記下框２２の室内側面には操作つまみ４５（操作具４２）の位置に応じて障子開放状態を表示する表示部３が設けてある。
例えば、図８に示すように半開の文字と図柄を表示する半開表示３ａと全開の文字と図柄を表示する全開表示３ｂが設けられ、操作つまみ４５が図８（ａ）のように前述の右方位置で係合ピン４１が第１位置の場合には、操作つまみ４５が半開表示３ａに接近し、操作つまみ４５が図８（ｂ）のように前述の左方位置で係合ピン４１が第２位置の場合には、操作つまみ４５が全開表示３ｂに接近するようにしてある。
【００２８】
このようであるから、操作つまみ４５と表示部３を目視することで障子２０の開放状態を確認できる。
また、障子が開放されている時も操作具が表示部上に位置し、操作具の切換状態を常に確認することができるので、摺動子を第２位置として障子を開放している時に操作具の誤操作等によって摺動子が移動することがあっても、その誤操作等による摺動子の移動に気付き易い。よって、誤操作等による摺動子の移動に気付かずにそのまま障子を閉じることで摺動子がアーム部材の側面等に当たって破損するようなことが起こり難い。
【００２９】
この実施の形態では補助錠４が取付けてある。
この補助錠４は下枠１２の上面に取付けた錠受け５と、下框２２に取付けた錠本体６を備え、この錠本体６は図９に示すように前述の切換部材４０と同一である。
前記錠受け５は、係合ピン４１が挿入、抜け出しする溝５ａを有している。
【００３０】
そして、操作つまみ４５で係合ピン４１を移動して図１０（ａ）に示すように溝５ａから抜け出した位置とすれば、解錠状態となる。
また、操作つまみ４５で係合ピン４１を移動して図１０（ｂ）に示すように溝５ａ内に挿入した位置とすれば、施錠状態となる。
【００３１】
次に、本発明の第２の実施の形態を説明する。
この実施の形態は、前述のアーム部材３０と切換部材４０で障子２０を施錠できるようにしたことが前述の実施の形態と相違し、他は同様である。
図１１と図１２に示すように、取付基部３２にロック部５０を設け、障子２０が閉じ状態において係合ピン４１を、このロック部５０と干渉して室外側に移動できないロック位置まで移動できるようにする。
例えば、アーム部材３０における凹陥部３７よりも一端寄りにロック用長穴５１を形成し、このロック用長穴５１内に係合ピン４１が挿入、抜け出し自在とする。
【００３２】
前記障子２０を閉じ状態として操作具４２、つまり操作つまみ４５をもって係合ピン４１を移動することで、図１１に示すように係合ピン４１をロック用長穴５１内に挿入する。
これによって、係合ピン４１がロック部５０の室内側に対向して位置するので、障子２０を開放しようとした場合に、その係合ピン４１がロック部５０と干渉して室外側に移動できないから、障子２０を施錠することができる。
【００３３】
また、係合ピン４１をロック用長穴５１から抜き出しすれば、その係合ピン４１はロック部５０と面内方向に離れるので、係合ピン４１は室外側に移動できるから、前述した第１の実施の形態と同様に障子を開放できる。
【００３４】
前述の各実施の形態ではアーム部材３０を下枠１２に取付けると共に、切換部材４０を下框２２に取付けしたが、アーム部材３０を下框２２に取付けると共に、切換部材４０を下枠１２に取付けても良い。
また、外開き窓などの場合にはアーム部材３０、切換部材４０を縦枠１３、縦框２３に取付けても良い。
つまり、アーム部材３０は窓枠１０と障子２０のどちらか一方側に取付け、切換部材４０は窓枠１０と障子２０のどちらか他方側に取付ければ良い。
【図面の簡単な説明】
【００３５】
【図１】本発明の実施の形態を示す開き窓の内観図である。
【図２】開放状態の断面図である。
【図３】アーム部材と取付基部の分解斜視図である。
【図４】切換部材の分解斜視図である。
【図５】係合ピンを第１位置とした場合の障子閉じ状態のアーム部材部分の平面図である。
【図６】障子開き状態のアーム部材部分の平面図である。
【図７】係合ピンを第２位置とした場合の障子閉じ状態のアーム部材部分の平面図である。
【図８】操作具と表示部の説明図である。
【図９】補助錠の分解斜視図である。
【図１０】補助錠の動作説明図である。
【図１１】本発明の第２の実施の形態を示す係合ピンがロック位置の場合の障子閉じ状態のアーム部材部分の平面図である。
【図１２】アーム部材と取付基部の分解斜視図である。
【符号の説明】
【００３６】
３…表示部、１０…窓枠、１２…下枠、２０…障子、２２…下框、３０…アーム部材、３１…長穴（ガイド部）、４０…切換部材、４１…係合ピン（摺動子）、４２…操作具、５０…ロック部、５１…ロック用長穴。
【図１】
2005076334.tif 000003
【図２】
2005076334.tif 000004
【図３】
2005076334.tif 000005
【図４】
2005076334.tif 000006
【図５】
2005076334.tif 000007
【図６】
2005076334.tif 000008
【図７】
2005076334.tif 000009
【図８】
2005076334.tif 000010
【図９】
2005076334.tif 000011
【図１０】
2005076334.tif 000012
【図１１】
2005076334.tif 000013
【図１２】
2005076334.tif 000014